(57)【要約】  エレベータのかご天井装置においては、救出口が設けられた外部天井板よりもかごの内側に内部天井板が配置されている。内部天井板には、救出口に対向する点検口が設けられている。外部天井板には救出口開閉蓋が設けられ、内部天井板には点検口開閉蓋が設けられている。救出口開閉蓋は、救出口を塞ぐ救出口塞ぎ位置と、救出口塞ぎ位置よりもかごの外側に位置し、救出口を開放する救出口開放位置との間で変位可能になっている。点検口開閉蓋は、点検口を塞ぐ点検口塞ぎ位置にあるときに内部天井板に保持されるとともに、点検口塞ぎ位置から水平方向へずれた保持解除位置へ変位されることにより内部天井板による保持が外れて内部天井板から取り外される。
2008090593.tif 000002
【特許請求の範囲】
【請求項１】
救出口が設けられた外部天井板、
上記救出口に対向する点検口が設けられ、上記外部天井板よりもかごの内側に配置された内部天井板、
上記救出口を塞ぐ救出口塞ぎ位置と、上記救出口塞ぎ位置よりも上記かごの外側に位置し、上記救出口を開放する救出口開放位置との間で変位可能な救出口開閉蓋、及び
上記点検口を塞ぐ点検口塞ぎ位置にあるときに上記内部天井板に保持されるとともに、上記点検口塞ぎ位置から水平方向へずれた保持解除位置へ変位されることにより上記内部天井板による保持が外れて上記内部天井板から取り外される点検口開閉蓋
を備えていることを特徴とするエレベータのかご天井装置。
【請求項２】
上記かごの外側から手動で操作可能な点検口外側操作部と、上記かごの内側から専用鍵でのみ操作可能な点検口内側操作部と、上記点検口外側操作部及び上記点検口内側操作部のいずれかの操作により、上記点検口開閉蓋の上記点検口塞ぎ位置から上記保持解除位置への変位を阻止する施錠位置と上記点検口開閉蓋の変位の阻止を解除する解錠位置との間で変位される点検口錠部とを有する点検口施錠装置
をさらに備えていることを特徴とする請求項１に記載のエレベータのかご天井装置。
【請求項３】
上記かごの外側から手動で操作可能な救出口外側操作部と、上記かごの内側から専用鍵でのみ操作可能な救出口内側操作部と、上記救出口外側操作部及び上記救出口内側操作部のいずれかの操作により、上記救出口開閉蓋の上記救出口塞ぎ位置から上記救出口開放位置への変位を阻止する施錠位置と上記外部天井蓋の変位の阻止を解除する解錠位置との間で変位される救出口錠部とを有する救出口施錠装置
をさらに備えていることを特徴とする請求項１又は請求項２に記載のエレベータのかご天井装置。
【請求項４】
上記点検口開閉蓋及び上記内部天井板間は、落下防止索により繋がれていることを特徴とする請求項１に記載のエレベータのかご天井装置。
【請求項５】
上記点検口開閉蓋は、互いに締結された複数の部分蓋を有し、
各上記部分蓋間の締結は、上記かごの外側で手動により解除可能になっていることを特徴とする請求項１に記載のエレベータのかご天井装置。
【請求項６】
各上記部分蓋間は、落下防止索により繋がれていることを特徴とする請求項５に記載のエレベータのかご天井装置。
【発明の詳細な説明】
【技術分野】
【０００１】
この発明は、外部天井板よりもかごの内側に内部天井板が配置されたエレベータのかご天井装置に関するものである。
【背景技術】
【０００２】
従来、非常救出口が設けられた天井板と、天井板の下側に配置され点検用開口部が設けられた吊天井板とを有するエレベータかごの天井装置が提案されている。天井板には非常救出口を開閉する蓋が設けられ、吊天井板には点検用開口部を開閉する蓋が設けられている。非常救出口は、天井板に設けられた蓋がかごの外側へ回動されることにより開放される。点検用開口部は、吊天井板に設けられた蓋がかごの内側へ回動されることにより開放される（特許文献１参照）。【０００３】
【特許文献１】特開２００１−３１６０６１号公報
【発明の開示】
【発明が解決しようとする課題】
【０００４】
しかし、点検用開口部を開放する際に蓋がかごの内側へ回動されるので、点検用開口部を全開すると、蓋の端部がかごの床に近い領域にまで達することとなり、かご内の利用者は蓋に当たらないように注意する必要がある。【０００５】
また、例えばエレベータの運転が緊急停止してしまった場合等には、点検用開口部及び非常救出口を通してかご内の乗客をかご上へ救出することができるが、かごの内側に蓋が吊り下げられたまま点検用開口部が開放されているので、乗客がかご内からかご上へ移動するときや、救出員がかご上からかご内へ移動するときに蓋が邪魔になってしまう。【０００６】
この発明は、上記のような課題を解決するためになされたものであり、点検口を開放するために必要な開放動作領域を縮小することができるとともに、かご内とかご上との間で利用者の移動の円滑化を図ることができるエレベータのかご天井装置を得ることを目的とする。
【課題を解決するための手段】
【０００７】
この発明によるエレベータのかご天井装置は、救出口が設けられた外部天井板、救出口に対向する点検口が設けられ、外部天井板よりもかごの内側に配置された内部天井板、救出口を塞ぐ救出口塞ぎ位置と、救出口塞ぎ位置よりもかごの外側に位置し、救出口を開放する救出口開放位置との間で変位可能な救出口開閉蓋、及び点検口を塞ぐ点検口塞ぎ位置にあるときに内部天井板に保持されるとともに、点検口塞ぎ位置から水平方向へずれた保持解除位置へ変位されることにより内部天井板による保持が外れて内部天井板から取り外される点検口開閉蓋を備えている。
【発明の効果】
【０００８】
この発明によるエレベータのかご天井装置では、点検口開閉蓋が点検口を塞ぐ点検口塞ぎ位置にあるときに内部天井板に保持されるとともに、点検口塞ぎ位置から水平方向へずれた保持解除位置へ変位されることにより内部天井板による保持が外れて内部天井板から取り外されるようになっているので、点検口開閉蓋を水平に近い状態で内部天井板から取り外すことができる。従って、点検口を開放するために必要な開放動作領域を縮小することができる。また、点検口開閉蓋を内部天井板から取り外した状態で乗客や救出員が点検口及び救出口を通ることができるので、かご内とかご上との間で利用者の移動の円滑化を図ることができる。
【図面の簡単な説明】
【０００９】
【図１】この発明の実施の形態１によるエレベータのかご天井装置を示す平面図である。
【図２】図１のII-II線に沿った断面図である。
【図３】図２の点検口施錠装置を示す斜視図である。
【図４】図２の三角キーを示す斜視図である。
【図５】図２の救出口施錠装置を示す平面図である。
【図６】図５の救出口施錠装置の施錠が解除されている状態を示す平面図である。
【図７】図２の点検口開閉蓋が保持解除位置にあるときの状態を示す断面図である。
【図８】図７の点検口開閉蓋が内部天井板から取り外されるときの状態を示す断面図である。
【図９】図８の救出口開閉蓋が救出口開放位置に変位されるときの状態を示す断面図である。
【図１０】図２の救出口開閉蓋が救出口開放位置に変位されるときの状態を示す断面図である。
【図１１】図１０の点検口開閉蓋が保持解除位置にあるときの状態を示す断面図である。
【図１２】図１１の点検口開閉蓋が内部天井板から取り外されるときの状態を示す断面図である。
【図１３】この発明の実施の形態２によるエレベータのかご天井装置を示す平面図である。
【図１４】図１３のXIV-XIV線に沿った断面図である。
【図１５】図１４の点検口開閉蓋が保持解除位置にあるときの状態を示す断面図である。
【図１６】図１５の点検口開閉蓋が内部天井板から取り外されるときの状態を示す断面図である。
【図１７】図１６の救出口開閉蓋が救出口開放位置に変位されるときの状態を示す断面図である。
【図１８】図１４の救出口開閉蓋が救出口開放位置に変位されるときの状態を示す断面図である。
【図１９】図１８のつまみねじ及びナットが点検口開閉蓋から取り外された状態を示す断面図である。
【図２０】図１９の点検口開閉蓋が内部天井板から取り外されるときの状態を示す断面図である。
【図２１】この発明の実施の形態２によるエレベータのかご天井装置の他の例を示す要部斜視図である。
【発明を実施するための最良の形態】
【００１０】
以下、この発明の好適な実施の形態について図面を参照して説明する。
実施の形態１．
図１は、この発明の実施の形態１によるエレベータのかご天井装置を示す平面図である。また、図２は、図１のII-II線に沿った断面図である。なお、図１は、かご内から見たときのかご天井装置を示す平面図である。図において、かご１の上部には、外部天井板２（図２）と、外部天井板２よりもかご１の内側（即ち、外部天井板２の下方）に配置された内部天井板３とが設けられている。即ち、かご１の上部には、上下方向へ互いに対向する外部天井板２及び内部天井板３が設けられている。外部天井板２と内部天井板３との間には、かご１内を明るくするための複数の照明装置４（図１）が設けられている。各照明装置４は、外部天井板２の下面に取り付けられている。【００１１】
外部天井板２には、各照明装置４を避けて配置された救出口５が設けられている。また、外部天井板２には、救出口５を開閉する救出口開閉蓋６が取り付けられている。救出口開閉蓋６は、救出口５の縁部に設けられたヒンジ７を介して外部天井板２に取り付けられている。【００１２】
救出口開閉蓋６は、ヒンジ７の軸を中心に回動されることにより、救出口５を塞ぐ救出口塞ぎ位置と、救出口塞ぎ位置よりもかご１の外側に位置し、救出口５を開放する救出口開放位置との間を変位される。救出口開閉蓋６の縁部は、救出口開閉蓋６が救出口塞ぎ位置にあるとき（即ち、救出口開閉蓋６が救出口５を塞いでいるとき）に外部天井板２に係止される。即ち、救出口開閉蓋６の救出口塞ぎ位置よりもかご１の内側への変位は、外部天井板２による救出口開閉蓋６の係止によって規制される。【００１３】
内部天井板３には、各照明装置４に対向する照明用開口８（図１）と、救出口５に対向する点検口９とが設けられている。また、内部天井板３には、照明用開口８を塞ぐ半透明の照明カバー１０（図１）と、点検口９を開閉する点検口開閉蓋１１とがそれぞれ着脱可能に取り付けられている。【００１４】
点検口開閉蓋１１は、点検口９を塞ぐ点検口塞ぎ位置にあるときに内部天井板３に保持される（図２）。また、内部天井板３による点検口開閉蓋１１の保持は、点検口塞ぎ位置から水平方向へずれた保持解除位置に変位されることにより外れる（図７）。従って、点検口開閉蓋１１は、点検口塞ぎ位置に変位されて内部天井板３に保持されることにより内部天井板３に取り付けられ、保持解除位置に変位されて内部天井板３による保持が外れることにより内部天井板３から取り外される。【００１５】
また、点検口開閉蓋１１は、意匠面及び背面を有する板状の蓋本体１２と、蓋本体１２の一端部に設けられた第１蓋枠１３と、蓋本体１２の他端部に設けられた第２蓋枠１４とを有している。蓋本体１２は、背面を外部天井板２側（上方）に向けて内部天井板３に取り付けられる。第１蓋枠１３及び第２蓋枠１４は、蓋本体１２の背面に取り付けられている。【００１６】
第１蓋枠１３は、蓋本体１２に固定された固定部１３ａと、固定部１３ａから蓋本体１２に対して垂直に延びる垂直部１３ｂとを有している。第２蓋枠１４は、蓋本体１２に固定された固定部１４ａと、固定部１４ａから蓋本体１２に対して垂直に延びる垂直部１４ｂとを有している。点検口開閉蓋１１が点検口塞ぎ位置にあるときには、第１蓋枠１３及び第２蓋枠１４の各固定部１３ａ，１４ａが内部天井板３上にそれぞれ載せられている（図２）。【００１７】
内部天井板３の外部天井板２側の面（即ち、内部天井板３の上面）には、水平方向について点検口９を挟んで互いに対向する第１受け金（第１規制体）１５及び第２受け金（第２規制体）１６が設けられている。点検口開閉蓋１１の点検口塞ぎ位置と保持解除位置との間の変位は、第１受け金１５と第２受け金１６との間の範囲（受け金間範囲）内で行われる。点検口開閉蓋１１は、点検口塞ぎ位置にあるときに第１受け金１５に係止され（図２）、保持解除位置にあるときに第２受け金１６に係止される（図７）。【００１８】
第１受け金１５は、内部天井板３に固定された固定部１５ａと、固定部１５ａから上方へ延びる縦板部（水平方向規制部）１５ｂと、縦板部１５ｂの上端部から水平に延びる横板部（上下方向規制部）１５ｃとを有している。【００１９】
第２受け金１６は、内部天井板３に固定された固定部１６ａと、固定部１６ａから上方へ延びる縦板部（水平方向規制部）１６ｂとを有している。【００２０】
点検口開閉蓋１１が点検口塞ぎ位置にあるときには、第１蓋枠１３の垂直部１３ｂが第１受け金１５の縦板部１５ｂに当接されるとともに、第１蓋枠１３の垂直部１３ｂが第１受け金１５の横板部１５ｃに上下方向について対向する（図２）。これにより、点検口開閉蓋１１の点検口塞ぎ位置から受け金間範囲の外側への変位が規制されるとともに、第１蓋枠１３の上方への過大な変位も規制される。【００２１】
点検口開閉蓋１１が保持解除位置にあるときには、第２蓋枠１４の固定部１４ａが第２受け金１６の縦板部１６ｂに当接される（図７）。これにより、点検口開閉蓋１１の保持解除位置から受け金間範囲の外側への変位が規制される。【００２２】
点検口開閉蓋１１には、点検口施錠装置１７が設けられている。点検口施錠装置１７は、かご１の外側からの手動による操作、及びかご１の内側からの三角キー（専用鍵）１８による操作のいずれかを受けることにより、点検口開閉蓋１１の施錠及び解錠を行う。点検口開閉蓋１１の施錠及び解錠は、点検口開閉蓋１１が点検口塞ぎ位置にあるときに行われる。【００２３】
ここで、図３は、図２の点検口施錠装置１７を示す斜視図である。また、図４は、図２の三角キー１８を示す斜視図である。図において、点検口施錠装置１７は、点検口開閉蓋１１に固定されたシリンダ１９と、シリンダ１９に回動自在に設けられた貫通軸２０と、貫通軸２０に固定された回動板（点検口外側操作部）２１と、回動板２１に固定された係止部材（点検口錠部）２２とを有している。【００２４】
シリンダ１９は、蓋本体１２の意匠面側に露出された開口部を有している。開口部には、点検口開閉蓋１１の施錠及び解錠が行われるときに三角キー１８が挿入される。【００２５】
貫通軸２０は、蓋本体１２に対して垂直に配置されている。また、貫通軸２０は、シリンダ１９の開口部内に配置された鍵嵌合部（点検口内側操作部）２０ａと、点検口開閉蓋１１の背面側にシリンダ１９から露出された回動板固定部２０ｂとを有している。鍵嵌合部２０ａには、三角キー１８がシリンダ１９の開口部内に挿入されることにより、三角キー１８が嵌め合わされる。なお、鍵嵌合部２０ａの断面形状は、略三角形状とされている。【００２６】
回動板２１は、回動板固定部２０ｂに固定されている。また、回動板２１は、蓋本体１２と平行に配置されている。さらに、回動板２１は、貫通軸２０の軸線を中心として貫通軸２０と一体に回動される。この例では、回動板２１の形状が長方形状とされている。【００２７】
これにより、回動板２１は、回動板２１がかご１の外側から手動で操作されることにより回動され、鍵嵌合部２０ａがかご１の内側から三角キー１８で操作されることによっても回動される。かご１の内側からの鍵嵌合部２０ａの操作は、手動で行うことができず、三角キー１８でのみ可能になっている。【００２８】
係止部材２２は、回動板２１の貫通軸２０から離れた部分に固定されている。従って、係止部材２２は、回動板２１が回動されると、貫通軸２０を中心とした円弧上を変位される。また、点検口開閉蓋１１が点検口塞ぎ位置にあるときには、係止部材２２は、回動板２１の回動により、第２受け金１６に係止される施錠位置（図２）と、第２受け金１６による係止が外れる解錠位置（図７）との間で変位される。係止部材２２は、第２受け金１６に係止されることにより、点検口開閉蓋１１の点検口塞ぎ位置から保持解除位置への変位を阻止する。また、係止部材２２は、第２受け金１６による係止が外れることにより、点検口開閉蓋１１の変位の阻止を解除する。【００２９】
三角キー１８は、筒状のキー本体２３と、キー本体２３に設けられた棒状のハンドル部材２４とを有している。キー本体２３の一端部は、鍵嵌合部２０ａに嵌め合わされる挿入部２３ａとされている。挿入部２３ａの断面形状は、中空の略三角形状とされている。鍵嵌合部２０ａ及び挿入部２３ａは、鍵嵌合部２０ａが挿入部２３ａ内に挿入されることにより、互いに嵌め合わされる。ハンドル部材２４は、キー本体２３の他端部に設けられている。【００３０】
第２蓋枠１４の垂直部１４ｂには、係止部材２２を施錠位置及び解錠位置のいずれかに選択的に保持する板ばね（位置保持部材）２５が固定されている（図２）。板ばね２５は、回動板２１の側面に押し当てられている。また、板ばね２５は、回動板２１が回動されるときに回動板２１に押されて弾性変形される。さらに、板ばね２５は、係止部材２２が施錠位置に変位されたときに回動板２１の短辺部分に押し当てられ、係止部材２２が解錠位置に変位されたときに回動板２１の長辺部分に押し当てられる。【００３１】
一方、救出口開閉蓋６には、かご１の外側に開放された凹部２６が設けられている。凹部２６には、救出口施錠装置２７が取り付けられている。即ち、救出口開閉蓋６には、凹部２６に取り付けられた救出口施錠装置２７がかご１の外側に露出させて設けられている。救出口施錠装置２７は、かご１の外側からの手動による操作、及びかご１の内側からの三角キー（専用鍵）１８による操作のいずれかを受けることにより、救出口開閉蓋６の施錠及び解錠を行う。救出口開閉蓋６の施錠及び解錠は、救出口開閉蓋６が救出口塞ぎ位置にあるときに行われる。【００３２】
ここで、図５は、図２の救出口施錠装置２７を示す平面図である。また、図６は、図５の救出口施錠装置２７の施錠が解除されている状態を示す平面図である。図において、救出口施錠装置２７は、凹部２６内に固定された支持ブラケット２８に取り付けられている。また、救出口施錠装置２７は、支持ブラケット２８に回動自在に支持された貫通軸２９と、貫通軸２９に対して垂直な平面上で貫通軸２９から互いに異なる方向へ突出する第１突出部３０ａ及び第２突出部３０ｂを含み貫通軸２９に固定された回動カム３０と、回動カム３０の第１突出部３０ａに接続されたレバー（救出口外側操作部）３１と、回動カム３０の第２突出部３０ｂに接続されたピン（救出口錠部）３２とを有している。【００３３】
貫通軸２９は、救出口開閉蓋６に対して垂直に配置されている。また、貫通軸２９は、救出口開閉蓋６の下面側に露出された鍵嵌合部（救出口内側操作部）２９ａを有している。鍵嵌合部２９ａには、三角キー１８の挿入部２３ａが嵌め合わされる。即ち、鍵嵌合部２９ａの断面形状は、点検口施錠装置１７における鍵嵌合部２０ａの断面形状と同一の形状である略三角形状とされている。【００３４】
回動カム３０は、貫通軸２９の軸線を中心として貫通軸２９と一体に回動される。回動カム３０の形状は、貫通軸２９、第１突出部３０ａ及び第２突出部３０ｂの各位置を頂点とする略三角形状となっている。【００３５】
ピン３２は、回動カム３０の回動と連動して往復変位される。救出口開閉蓋６が救出口塞ぎ位置にあるときには、ピン３２は、外部天井板２の下面に固定された固定部材３３に係止される施錠位置（図５）と、固定部材３３による係止が外れる解錠位置（図６）との間で変位可能になっている。ピン３２の変位は、回動カム３０の回動により行われる。ピン３２は、固定部材３３に係止されることにより、救出口開閉蓋６の救出口塞ぎ位置から救出口開放位置への変位を阻止する。また、ピン３２は、固定部材３３による係止が外れることにより、救出口開閉蓋６の変位の阻止を解除する。【００３６】
具体的には、ピン３２は、施錠位置に変位されることにより救出口開閉蓋６の領域から突出し、解錠位置に変位されることにより救出口開閉蓋６の領域内に後退する。ピン３２は、施錠位置に変位されて救出口開閉蓋６から突出したときに、固定部材３３に設けられたピン挿入口３４内に挿入される。ピン３２は、ピン挿入口３４内への挿入により固定部材３３に対して係止される。【００３７】
レバー３１は、回動カム３０の回動と連動して往復変位される。レバー３１は、回動カム３０の回動により、押し込み位置（図５）と引き出し位置（図６）との間で変位される。救出口開閉蓋６が救出口塞ぎ位置にあるときには、レバー３１が押し込み位置へ変位されることによりピン３２が施錠位置へ変位され、レバー３１が引き出し位置へ変位されることによりピン３２が解錠位置へ変位される。【００３８】
回動カム３０は、レバー３１がかご１の外側から手動で操作されることにより回動され、鍵嵌合部２９ａがかご１の内側から三角キー１８で操作されることによっても回動される。かご１の内側からの鍵嵌合部２９ａの操作は、手動で行うことができず、三角キー１８でのみ可能になっている。【００３９】
救出口施錠装置２７には、施錠位置へ変位される方向へピン３２を付勢する付勢ばね（付勢体）３５が設けられている。ピン３２が施錠位置にあるときには、付勢ばね３５の付勢により、ピン３２が施錠位置に保持される。【００４０】
また、救出口施錠装置２７には、ピン３２が解錠位置にあるときに付勢ばね３５の付勢に逆らって回動カム３０の回動を阻止する保持機構が設けられている。保持機構は、レバー３１が引き出し位置に達することにより回動カム３０をロックする。【００４１】
さらに、救出口施錠装置２７には、救出口開閉蓋６が救出口塞ぎ位置に変位されたときに回動カム３０の回動の阻止を解除する解除機構３５が設けられている。解除機構３５は、支持ブラケット２８に対して変位可能な変位マグネット３６を有している。また、固定部材３３には、救出口開閉蓋６が救出口塞ぎ位置に変位されたときに変位マグネット３６と対向する固定マグネット３７が固定されている。変位マグネット３６及び固定マグネット３７は、互いに対向したときに反発し合う。変位マグネット３６は、レバー３１の引き出し位置への変位により前進位置に変位され（図６）、固定マグネット３７に対向して反発されることにより後退位置に変位される（図５）。解除機構３５は、変位マグネット３６の後退位置への変位により回動カム３０の回動の阻止を解除する。【００４２】
なお、救出口施錠装置２７には、ピン３２の施錠位置への変位の有無を検出する施錠状態検出装置が設けられている。【００４３】
次に、かご１の内側から点検口９及び救出口５を開放するときの手順について説明する。図７は、図２の点検口開閉蓋１１が保持解除位置にあるときの状態を示す断面図である。また、図８は、図７の点検口開閉蓋１１が内部天井板３から取り外されるときの状態を示す断面図である。さらに、図９は、図８の救出口開閉蓋６が救出口開放位置に変位されるときの状態を示す断面図である。【００４４】
図に示すように、まず、かご１の内側から三角キー１８をシリンダ１９の開口部に挿入し、挿入部２３ａを鍵嵌合部２０ａに嵌め合わせる。この後、三角キー１８を回して係止部材２２を施錠位置から解錠位置へ変位させる。これにより、点検口開閉蓋１１の点検口塞ぎ位置から保持解除位置への変位の阻止が解除される。【００４５】
この後、点検口開閉蓋１１を持ち上げつつ水平にずらして、点検口開閉蓋１１を点検口塞ぎ位置から保持解除位置へ変位させる（図７）。これにより、内部天井板３による点検口開閉蓋１１の保持が外れる。この後、かご１の内側へ点検口開閉蓋１１を下ろして、点検口開閉蓋１１を内部天井板３から取り外す（図８）。これにより、点検口９が開放される。【００４６】
この後、点検口９側から三角キー１８の挿入部２３ａを救出口施錠装置２７の鍵嵌合部２９ａに嵌め合わせ、三角キー１８を回してピン３２を施錠位置から解錠位置へ変位させる。これにより、救出口開閉蓋６の救出口塞ぎ位置から救出口開放位置への変位の阻止が解除される。【００４７】
この後、救出口開閉蓋６をかご１の外側へ回動させて、救出口開閉蓋６を救出口塞ぎ位置から救出口開放位置へ変位させる（図９）。これにより、救出口５が開放される。【００４８】
次に、かご１の外側から点検口９及び救出口５を開放するときの手順について説明する。図１０は、図２の救出口開閉蓋６が救出口開放位置に変位されるときの状態を示す断面図である。また、図１１は、図１０の点検口開閉蓋１１が保持解除位置にあるときの状態を示す断面図である。さらに、図１２は、図１１の点検口開閉蓋１１が内部天井板３から取り外されるときの状態を示す断面図である。【００４９】
図に示すように、まず、かご１の外側からレバー３１を引いて、レバー３１を押し込み位置から引き出し位置へ変位させる。これにより、ピン３２が施錠位置から解錠位置へ変位され、救出口開閉蓋６の救出口塞ぎ位置から救出口開放位置への変位の阻止が解除される。この後、救出口開閉蓋６をかご１の外側へ回動させて、救出口開閉蓋６を救出口塞ぎ位置から救出口開放位置へ変位させる（図１０）。これにより、救出口５が開放される。【００５０】
この後、救出口５側から手動で点検口施錠装置１７の回動板２１を回動させる。これにより、係止部材２２が施錠位置から解錠位置へ変位される。この後、点検口開閉蓋１１を点検口塞ぎ位置から保持解除位置へ変位させ、内部天井板３から点検口開閉蓋１１を一旦かご１の内側へ取り外す（図１１）。【００５１】
この後、点検口開閉蓋１１をかご１の内側から点検口９及び救出口５を通してかご１の外側へ取り出す（図１２）。【００５２】
このようなエレベータのかご天井装置では、点検口開閉蓋１１が点検口９を塞ぐ点検口塞ぎ位置にあるときに内部天井板３に保持されるとともに、点検口塞ぎ位置から水平方向へずれた保持解除位置へ変位されることにより内部天井板３による保持が外れて内部天井板３から取り外されるようになっているので、点検口開閉蓋１１を水平に近い状態で内部天井板３から取り外すことができる。従って、点検口９を開放するために必要な開放動作領域を縮小することができる。また、点検口開閉蓋１１を内部天井板３から取り外した状態で乗客や救出員が点検口９及び救出口５を通ることができるので、かご１内とかご１上との間で利用者の移動の円滑化を図ることができる。【００５３】
また、点検口施錠装置１７は、かご１の外側から手動で操作可能な回動板２１と、かご１の内側から三角キー１８でのみ操作可能な鍵嵌合部２０ａと、回動板２１及び鍵嵌合部２０ａのいずれかの操作により、施錠位置と解錠位置との間で変位される係止部材２２とを有しているので、一般の乗客がかご１の内側から点検口９を開放することを防止することができるとともに、かご１の外側からは点検口９を容易に開放することができる。【００５４】
また、救出口施錠装置２７は、かご１の外側から手動で操作可能なレバー３１と、かご１の内側から三角キー１８でのみ操作可能な鍵嵌合部２９ａと、レバー３１及び鍵嵌合部２９ａのいずれかの操作により、施錠位置と解錠位置との間で変位されるピン３２とを有しているので、一般の乗客がかご１の内側から救出口５を開放することを防止することができるとともに、かご１の外側からは救出口５を容易に開放することができる。【００５５】
なお、上記の例では、内部天井板３から取り外されたときの点検口開閉蓋１１が内部天井板３から完全に独立するようになっているが、点検口開閉蓋１１及び内部天井板３間を落下防止索により繋ぐようにしてもよい。このようにすれば、点検口開閉蓋１１がかご床に落ちることを防止することができる。落下防止索としては、例えばチェーン、ロープあるいはテープ等が用いられる。また、点検口開閉蓋１１及び内部天井板３間は、例えば落下防止索の一端部を第１受け金１５に接続し他端部を蓋本体１２に接続することにより繋ぐことができる。【００５６】
実施の形態２．
図１３は、この発明の実施の形態２によるエレベータのかご天井装置を示す平面図である。また、図１４は、図１３のXIV-XIV線に沿った断面図である。図において、内部天井板３には、点検口９を開閉する点検口開閉蓋４１が着脱可能に取り付けられている。点検口開閉蓋４１は、互いに締結された複数（２つ）の部分蓋４２，４３を有している。各部分蓋４２，４３のそれぞれは、点検口９を部分的に塞ぐようになっている。【００５７】
一方の部分蓋４２は、意匠面及び背面を有する第１部分蓋本体４４と、第１部分蓋本体４４の端部に設けられた第１蓋枠１３とを有している。他方の部分蓋４３は、意匠面及び背面を有する第２部分蓋本体４５と、第２部分蓋本体４５の端部に設けられた第２蓋枠１４とを有している。点検口施錠装置１７は、他方の部分蓋４３に設けられている。【００５８】
第１部分蓋本体４４及び第２部分蓋本体４５のそれぞれには、各部分蓋４２，４３が互いに締結されるときに背面側で互いに重ねられる蓋重ね部が設けられている。各蓋重ね部は、各蓋重ね部に通されたつまみねじ４７と、つまみねじ４７が螺合されたナット４６との間で締め付けられることにより互いに締結される。また、各蓋重ね部は、つまみねじ４７のナット４６への螺合が外れることにより互いに切り離される。つまみねじ４７は手動で回すことができる。従って、つまみねじ４７とナット４６との間での締め付け、及びつまみねじ４７のナット４６からの取り外しが手動により可能になっている。【００５９】
即ち、各部分蓋４２，４３は、かご１の外側で手動により互いに締結可能になっている。また、各部分蓋４２，４３間の締結は、かご１の外側で手動により解除可能になっている。他の構成は実施の形態１と同様である。【００６０】
次に、かご１の内側から点検口９及び救出口５を開放するときの手順について説明する。図１５は、図１４の点検口開閉蓋４１が保持解除位置にあるときの状態を示す断面図である。また、図１６は、図１５の点検口開閉蓋４１が内部天井板３から取り外されるときの状態を示す断面図である。さらに、図１７は、図１６の救出口開閉蓋６が救出口開放位置に変位されるときの状態を示す断面図である。【００６１】
図に示すように、まず、実施の形態１と同様にして、かご１の内側から三角キー１８により係止部材２２を施錠位置から解錠位置へ変位させ、点検口開閉蓋４１の点検口塞ぎ位置から保持解除位置への変位の阻止を解除する。【００６２】
この後、点検口開閉蓋４１を持ち上げつつ水平にずらして、点検口開閉蓋４１を点検口塞ぎ位置から保持解除位置へ変位させる（図１５）。これにより、内部天井板３による点検口開閉蓋４１の保持が外れる。この後、かご１の内側へ点検口開閉蓋４１を下ろして、点検口開閉蓋４１を内部天井板３から取り外す（図１６）。これにより、点検口９が開放される。【００６３】
この後、実施の形態１と同様にして、点検口９側から三角キー１８によりピン３２を施錠位置から解錠位置へ変位させ、救出口開閉蓋６の救出口塞ぎ位置から救出口開放位置への変位の阻止を解除する。この後、救出口開閉蓋６をかご１の外側へ回動させて、救出口開閉蓋６を救出口塞ぎ位置から救出口開放位置へ変位させる（図１７）。これにより、救出口５が開放される。【００６４】
次に、かご１の外側から点検口９及び救出口５を開放するときの手順について説明する。図１８は、図１４の救出口開閉蓋６が救出口開放位置に変位されるときの状態を示す断面図である。また、図１９は、図１８のつまみねじ４７及びナット４６が点検口開閉蓋４１から取り外された状態を示す断面図である。さらに、図２０は、図１９の点検口開閉蓋４１が内部天井板３から取り外されるときの状態を示す断面図である。【００６５】
図に示すように、まず、実施の形態１と同様に、かご１の外側からレバー３１を引いてピン３２を施錠位置から解錠位置へ変位させ、救出口開閉蓋６の救出口塞ぎ位置から救出口開放位置への変位の阻止を解除する。この後、救出口開閉蓋６をかご１の外側へ回動させて、救出口開閉蓋６を救出口塞ぎ位置から救出口開放位置へ変位させる（図１８）。これにより、救出口５が開放される。【００６６】
この後、救出口５側から手動で点検口施錠装置１７の回動板２１を回動させ、係止部材２２を施錠位置から解錠位置へ変位させる。また、つまみねじ４７を回して点検口開閉蓋４１からつまみねじ４７及びナット４６を取り外す（図１９）。これにより、点検口開閉蓋４１が各部分蓋４２，４３に分離される。この後、各部分蓋４２，４３を内部天井板３から個別に取り外し、各部分蓋４２，４３を点検口９及び救出口５を通してかご１の外側へ取り出す（図２０）。【００６７】
このようなエレベータのかご天井装置では、点検口開閉蓋４１が互いに締結された複数の部分蓋４２，４３を有し、各部分蓋４２，４３の締結は、かご１の外側で手動により解除可能になっているので、内部天井板３から取り外した点検口開閉蓋４１を複数の部分蓋４２，４３に小さく分割してかご１の外側に取り出すことができる。従って、かご１の外側に広い空間がない場合であっても、点検口開閉蓋４１をかご１の外側へ取り出すことができる。【００６８】
なお、上記の例では、互いに分離されたときの各部分蓋４２，４３が完全に独立するようになっているが、各部分蓋４２，４３間を落下防止索により繋ぐようにしてもよい。このようにすれば、各部分蓋４２がまとめてかご床に落ちてしまうことを防止することができる。落下防止索としては、例えばチェーン、ロープあるいはテープ等が用いられる。また、各部分蓋４２，４３間は、例えば落下防止索の一端部及び他端部を各蓋重ね部にそれぞれ接続することにより繋ぐことができる。さらに、各部分蓋４２，４３のいずれかと内部天井板３との間も落下防止索により繋がれていてもよい。【００６９】
また、上記の例において、点検口９の縁部と点検口開閉蓋４１との隙間を塞ぐ隙間塞ぎ板を内部天井板３に取り付けてもよい。【００７０】
即ち、図２１は、この発明の実施の形態２によるエレベータのかご天井装置の他の例を示す要部斜視図である。図に示すように、点検口塞ぎ位置にあるときの点検口開閉蓋４１と点検口９の縁部との隙間を塞ぐ複数の隙間塞ぎ板５１を内部天井板３に取り付けてもよい。各隙間塞ぎ板５１は、ヒンジ５２を介して内部天井板３に取り付けられる。各隙間塞ぎ板５１は、各ヒンジ５２に設けられた付勢ばねにより、点検口９の縁部と点検口開閉蓋４１との隙間を塞ぐ方向へ付勢される。また、点検口９の縁部と点検口開閉蓋との隙間を塞ぐ隙間塞ぎ板を実施の形態１の構成に適用してもよい。【００７１】
このようにすれば、照明装置４からの光が点検口９の縁部と点検口開閉蓋との隙間を通してかご１内へ漏れることを防止することができ、かご１内の意匠性の向上を図ることができる。
【図１】
2008090593.tif 000003
【図２】
2008090593.tif 000004
【図３】
2008090593.tif 000005
【図４】
2008090593.tif 000006
【図５】
2008090593.tif 000007
【図６】
2008090593.tif 000008
【図７】
2008090593.tif 000009
【図８】
2008090593.tif 000010
【図９】
2008090593.tif 000011
【図１０】
2008090593.tif 000012
【図１１】
2008090593.tif 000013
【図１２】
2008090593.tif 000014
【図１３】
2008090593.tif 000015
【図１４】
2008090593.tif 000016
【図１５】
2008090593.tif 000017
【図１６】
2008090593.tif 000018
【図１７】
2008090593.tif 000019
【図１８】
2008090593.tif 000020
【図１９】
2008090593.tif 000021
【図２０】
2008090593.tif 000022
【図２１】
2008090593.tif 000023
【国際調査報告】
2008090593.tif 000024
2008090593.tif 000025
2008090593.tif 000026